(57)【要約】      （修正有）【課題】灯具に高い放熱効果を持たせ、低温状態に保つ、低温特性を備えた照明装置を提供する。【解決手段】灯具本体を含み、前記灯具本体が溶解点の異なる多種類の金属材料を段階的加熱溶融方式で鋳造して成り、前記灯具本体内にLEDから成る照明体を設置し、その後端部に放熱体を設置して本体と相互に結合させ、前記照明体が発生する熱エネルギーを前記放熱体により前記本体上に伝導させ、照明の使用時に発生する熱エネルギーを大幅に低減すると共に、前記照明体外縁に反射体を設け、前記反射体の設置により、照明範囲と角度を向上し、前記照明体と反射体の外縁にランプカバーを設置し、前記本体内の照明体と反射体を保護すると共に、前記ランプカバー外縁と前記本体を固定部材により相互に固定して結合させる。【選択図】図１
2009187930.tif 000002
【特許請求の範囲】
【請求項１】
灯具本体を含み、前記灯具本体が溶解点の異なる多種類の金属材料を段階的加熱溶融方式で鋳造して成り、前記灯具本体内に照明体を設置し、前記照明体の外縁にランプカバーを設置したことを特徴とする、低温特性を備えた照明装置。
【請求項２】
前記灯具本体の製造方法が、珪素、鉄、銅、マンガン、モリブデン、クロム、ニッケル、亜鉛、チタン、錫、アルミニウムの金属材料を段階的加熱溶融方式で鋳造して成り、高溶解点の金属材料を先に加熱熔解した後、比較的低い温度までそれを降温させてから、低溶解点の金属材料を投入し、相互に融合させて鋳造することを特徴とする、請求項１に記載の低温特性を備えた照明装置。
【請求項３】
前記照明体が少なくとも１つ以上のLEDから構成されることを特徴とする、請求項１に記載の低温特性を備えた照明装置。
【請求項４】
前記照明体の外縁に反射体を設置し、前記反射体の設置により、その照明範囲と角度を向上するよう構成したことを特徴とする、請求項１に記載の低温特性を備えた照明装置。
【請求項５】
前記反射体が金属材質から成ることを特徴とする、請求項４に記載の低温特性を備えた照明装置。
【請求項６】
前記ランプカバーが耐衝撃性、耐高熱性のカリガラスから成ることを特徴とする、請求項１に記載の低温特性を備えた照明装置。
【請求項７】
前記ランプカバーの外縁を固定部材により前記本体と相互に固定して結合させ、ランプカバーをしっかりと前記本体上に固定したことを特徴とする、請求項１に記載の低温特性を備えた照明装置。
【発明の詳細な説明】
【技術分野】
【０００１】
本発明は低温特性を備えた照明装置に関し、特に、灯具本体が溶解点の異なる多種類の金属材料を段階的加熱溶融方式で鋳造して成り、灯具本体に高い放熱効果を持たせ、灯具内を低温状態に維持する、低温特性を備えた照明装置に関する。
【背景技術】
【０００２】
地球温暖化に伴う温室効果が徐々に顕著になり、全世界の気候異常の回数が年を追って増加しているため、現在各国はすでにこのような異常現象に対し対応策を展開している。二酸化炭素の排出を減少するだけでなく、各種代替エネルギー、再生エネルギー、エコエネルギーの研究及び発展の比重も年を追って増加している。このほか、いかに照明装置が発生する高温を減少するかも現在克服が必要な課題である。現在、従来の照明装置の構造は金属本体から成り、同時に効果的に道路照明の目的を達するため、現在の照明装置は従来の電球を主要な照明器材として採用している。しかしながら、従来の電球は道路照明の目的を達することはできるものの、従来の電球は照明時に高温を発生しやすいため、従来の電球が発生する高温は金属本体により吸収されるが、従来の金属本体は熱を吸収する効果のみであり、吸収後の熱を効果的に放出することはできないため、金属本体の高温状態が一定時間持続してしまい、地球温暖化の状況に対して改善を施すことができない。このため、上述の問題を解決すべく、現在世界各国は例えばパリのエッフェル塔の消灯活動やコンビニエンスストアの夜間消灯作業等の措置を含め、照明装置の使用時間の減少を呼びかけており、上述は皆照明装置が発生する高温を克服するための措置である。しかし、照明装置は主に照明のために使用するため、上述の消灯方式で熱の問題を克服することはできない。
【０００３】
本発明の発明者は上述の従来の照明装置の構造に派生する各項の欠点に鑑みて改良を検討し、かつ長年の研究を経て、ついに本発明の低温特性を備えた照明装置の開発に成功したものである。
【発明の開示】
【発明が解決しようとする課題】
【０００４】
本発明の主な目的は、灯具本体がアルミニウム合金及び炭素繊維を溶融鋳造して成り、灯具が発生する熱エネルギーを効果的に吸収かつ排出できるようにし、灯具本体に高い放熱効果を持たせ、灯具内を低温状態に維持する、低温特性を備えた照明装置を提供することにある。
【０００５】
本発明の別の目的は、LEDランプの設置により、効果的な照明効果を達するほか、従来の電球が発生する熱エネルギーを大幅に低減し、環境保護効果を達する、低温特性を備えた照明装置を提供することにある。
【０００６】
本発明のさらに別の目的は、灯具のランプカバーがカリガラス材質から成り、耐衝撃性と耐高熱性の特性を持たせた、低温特性を備えた照明装置を提供することにある。
【課題を解決するための手段】
【０００７】
本発明の低温特性を備えた照明装置は、灯具本体を含み、該灯具本体はアルミニウム合金及び炭素繊維を溶融鋳造して成り、灯具が発生する熱エネルギーを効果的に吸収かつ排出できるよう構成し、灯具本体内に照明体を設し、該照明体は少なくとも１つ以上のLEDから構成され、照明に必要な輝度を達するほか、照明の使用時に発生する熱エネルギーを大幅に低減し、効果的に照明体の使用寿命を延長することができ、さらに該照明体の後端部に放熱体を設け、本体と相互に固定して結合させ、該照明体が発生する熱エネルギーが前記放熱体を介して前記本体上に伝導されると共に、前記照明体の外縁に反射体を設け、該反射体の設置により照明範囲と角度を向上し、前記反射体は金属材質から成り、前記照明体と前記反射体の外縁にランプカバーを設置し、前記本体内の照明体と反射体を保護すると共に、前記ランプカバーは耐衝撃性、耐高熱性を備えたカリガラスから成り、その使用寿命を大幅に向上し、固定部材により前記ランプカバー外縁と前記本体を相互に固定して結合させ、上述の部材をしっかりと前記本体上に固定し、照明使用の目的を達することができる。
【０００８】
前記灯具本体は効率的に熱エネルギーを吸収し、温度を下げる効果を達するため、その製造方法が溶解点の異なる珪素、鉄、銅、マンガン、モリブデン、クロム、ニッケル、亜鉛、チタン、錫、アルミニウム等多種類の金属材料を段階的加熱溶融の方式で鋳造して成る。
【発明の効果】
【０００９】
本発明の低温特性を備えた照明装置は、灯具本体がアルミニウム合金及び炭素繊維を溶融鋳造して成り、灯具が発生する熱エネルギーを効果的に吸収かつ排出し、照明体がLEDから構成され、使用時に発生する熱エネルギーを大幅に低減し、効果的に照明体の使用寿命を延長すると共に、該照明体の後端部に設置された放熱体が該照明体の発生する熱エネルギーを灯具本体上に伝導し、灯具本体に高い放熱効果を持たせ、灯具内を低温状態に維持することができる。
【発明を実施するための最良の形態】
【００１０】
図１から図３に本発明の低温特性を備えた照明装置の立体分解図と立体斜視図及び別の角度の立体斜視図をそれぞれ示す。本発明は灯具本体１を含み、該灯具本体１は溶解点の異なる多種類の金属材料を段階的加熱溶融で鋳造して成り、照明体２が発生する熱エネルギーを効果的に吸収かつ排出し、灯具内の使用環境温度を効果的に維持する。前記灯具本体１内に照明体２を設置し、該照明体２は少なくとも１つ以上のLEDから構成され、照明に必要な輝度を達するほか、照明の使用時に発生する熱エネルギーを大幅に低減し、効果的に照明体２の使用寿命を延長することができる。前記照明体２の後端部に放熱体６を設け、本体１と相互に固定して結合させ、該照明体２が発生する熱エネルギーが前記放熱体６を介して前記本体１上に伝導され、さらに前記灯具本体１を介して熱エネルギーが効果的に排出される。前記照明体２の外縁に反射体３を設け、該反射体３の設置により照明範囲と角度を向上する。前記反射体３は金属材質から成る。前記照明体２と前記反射体３の外縁にランプカバー４を設置し、前記本体１内の照明体２と反射体３を保護する。前記ランプカバー４は耐衝撃性、耐高熱性を備えたカリガラスから成り、その使用寿命を大幅に向上し、固定部材５により前記ランプカバー４外縁と前記本体１を相互に固定して結合させ、上述の部材をしっかりと前記本体上に固定し、照明使用の目的を達する。
【００１１】
前記灯具本体１は効率的に熱エネルギーを吸収し、温度を下げる効果を達するため、その製造方法が珪素、鉄、銅、マンガン、モリブデン、クロム、ニッケル、亜鉛、チタン、錫、アルミニウム等多種類の金属材料を段階的加熱溶融の方式で鋳造して成る。そのうち、上述の段階的加熱溶融方式は、各金属材料の溶解点が異なるため、鋳造時はまず高溶解点の金属材料を加熱熔解させた後、より低い温度まで降温するのを待ってから、低溶解点の金属材料を投入し、それらを相互に融合させて鋳造する。上述の段階的加熱溶融方式により、低溶解点の金属材料に燃焼が発生し、鋳造後の放熱効果に影響を生じないようにすることができる。
【００１２】
図４Aから図６Bに本発明の製品を工業技術研究院に委託して実施したテストデータの「オフ状態」、「オン３０分後」、「６０分後」の温度測定図と測定データをそれぞれ示す。温度測定図から分かるように、灯具の使用時における灯具本体１上の温度の変化は、照明体２から徐々に外に向かって拡散し、灯具本体１が均一に放熱する効果を達することができ、さらに、テストデータからはっきりと分かるように、テストエリアEの平均温度は、オフのときの温度が２６.３５度、オン３０分後の温度が４３.５６度であり、このとき灯具本体１はすでに動作温度に達しており、使用者が継続して使用すると、６０分後に温度は平均温度５０度まで上昇するのみであり、且つその他エリアの面積も相対して５度程度上がるのみである。ここから分かるように、本発明の灯具本体１は長時間の使用状況下でもその温度はゆっくりと上昇するのみであり、効果的な放熱を確実に達することができ、同時に灯具本体１の温度を火傷するほどにまで至らせないよう維持する効果が得られる。
【００１３】
上述の詳細な説明は、本発明の実施可能な一例を具体的に説明したものであり、この実施例は本発明の特許範囲を制限することはなく、本発明の技術的要旨を逸脱しない同等効果を持つ実施や変更はすべて本発明の特許範囲内に含まれるものとする。
【００１４】
上述をまとめると、本発明は空間形態上新しいだけでなく、従来品と比較して上述の多くの効果を増進することができ、新規性と進歩性の法定発明特許要件を満たしているため、法に基づきここに出願を提出するものであり、貴局には本件の発明特許出願案を許可していただけるよう願うものである。
【図面の簡単な説明】
【００１５】
【図１】本発明の低温特性を備えた照明装置の立体分解図である。
【図２】本発明の低温特性を備えた照明装置の立体斜視図である。
【図３】本発明の低温特性を備えた照明装置の別の角度の立体斜視図である。
【図４Ａ】本発明の低温特性を備えた照明装置のオフ状態の温度測定図である。
【図４Ｂ】本発明の低温特性を備えた照明装置のオフ状態の温度測定データである。
【図５Ａ】本発明の低温特性を備えた照明装置のオン３０分後の温度測定図である。
【図５Ｂ】本発明の低温特性を備えた照明装置のオン３０分後の温度測定データである。
【図６Ａ】本発明の低温特性を備えた照明装置のオン６０分後の温度測定図である。
【図６Ｂ】本発明の低温特性を備えた照明装置のオン６０分後の温度測定データである。
【符号の説明】
【００１６】
１        灯具本体
２        照明体
３        反射体
４        ランプカバー
５        固定部材
６        放熱体
【図１】
2009187930.tif 000003
【図２】
2009187930.tif 000004
【図３】
2009187930.tif 000005
【図４Ａ】
2009187930.tif 000006
【図４Ｂ】
2009187930.tif 000007
【図５Ａ】
2009187930.tif 000008
【図５Ｂ】
2009187930.tif 000009
【図６Ａ】
2009187930.tif 000010
【図６Ｂ】
2009187930.tif 000011